(57)【特許請求の範囲】
【請求項１】
減圧治療を受けている複数の患者に使用するための流体収集システムにおいて、
液溜めを備えて形成されたキャニスター本体と；
前記患者から流体を前記液溜めに供給するために、前記液溜めに流体的に結合された導管と；
前記キャニスター本体に取り付けられ、かつ前記液溜め内に減圧を発生させるように動作可能なポンプと；
前記ポンプを起動し、かつ制御するための、前記ポンプに結合された取り外し可能なパワー・制御ユニットであって、ユーザによって取り外されるように動作可能な、取り外し可能なパワー・制御ユニットと；
リサイクルセンターへの配送中に前記パワー・制御ユニットを収容して固定するようなサイズで構成された備え付けの配送用容器とを含み、
前記備え付けの配送用容器は、前記キャニスター本体が前記備え付けの配送用容器に挿入されないようなサイズで構成されていることを特徴とする、システム。
【請求項２】
減圧治療を受けている複数の患者に使用するための流体収集システムにおいて、
液溜めを備えて形成された第１のキャニスター本体と；
前記患者から流体を前記液溜めに供給するために、前記液溜めに流体的に結合された導管と；
前記第１のキャニスター本体に取り付けられ、かつ前記液溜め内に減圧を発生させるように動作可能なポンプと；
前記ポンプを制御するために前記ポンプに結合された制御ユニットと；
前記ポンプを起動させるために前記ポンプに結合された取り外し可能なパワーユニットであって、ユーザによって取り外されるように動作可能な、取り外し可能なパワーユニットと；
リサイクルセンターへの配送中に、前記パワーユニットを収容して固定するための備え付けの配送用容器とを含み、
前記備え付けの配送用容器は、前記第１のキャニスター本体が前記備え付けの配送用容器に挿入されないようなサイズで構成されていることを特徴とする、システム。
【請求項３】
減圧治療を受けている複数の患者に使用するための流体収集システムにおいて、
液溜めを備えて形成された第１のキャニスター本体と；
前記患者から流体を前記液溜めに供給するために、前記液溜めに流体的に結合された導管と；
前記第１のキャニスター本体に結合され、かつ前記液溜め内に減圧を発生させるように動作可能な、取り外し可能なポンプであって、ユーザによって取り外されるように動作可能な、取り外し可能なポンプと；
前記ポンプを起動し、かつ制御するために、前記ポンプに結合された取り外し可能なパワー・制御ユニットであって、ユーザによって取り外されるように動作可能な、取り外し可能なパワー・制御ユニットと；
リサイクルセンターへの配送中に、前記ポンプと前記パワー・制御ユニットとを収容して固定するための備え付けの配送用容器とを含み、
前記備え付けの配送用容器は、前記第１のキャニスター本体が前記備え付けの配送用容器に挿入されないようなサイズで構成されていることを特徴とする、システム。
【発明の詳細な説明】
【技術分野】
【０００１】
関連出願の相互参照
本発明は、３５ＵＳＣ＄１１９（ｅ）下において、２０１０年１１月１７日出願の米国仮特許出願第６１／４１４，７３８号明細書（「Ｒｅｄｕｃｅｄ−Ｐｒｅｓｓｕｒｅ  Ｃａｎｉｓｔｅｒｓ  ａｎｄ  Ｍｅｔｈｏｄｓ  ｆｏｒ  Ｒｅｃｙｃｌｉｎｇ」）（あらゆる点に関して本願明細書に援用する）；２０１０年５月１８日出願の米国仮特許出願第６１／３４５，８３０号明細書（「Ｓｙｓｔｅｍｓ  ａｎｄ  Ｍｅｔｈｏｄｓ  ｆｏｒ  Ｍｅａｓｕｒｉｎｇ  Ｒｅｄｕｃｅｄ  Ｐｒｅｓｓｕｒｅ  Ｅｍｐｌｏｙｉｎｇ  Ａｎ  Ｉｓｏｌａｔｅｄ  Ｆｌｕｉｄ  Ｐａｔｈ」）（あらゆる点に関して本願明細書に援用する）；および２０１０年５月１８日出願の米国仮特許出願第６１／３４５，８２１号明細書（「Ｒｅｄｕｃｅｄ−Ｐｒｅｓｓｕｒｅ  Ｔｒｅａｔｍｅｎｔ  Ｓｙｓｔｅｍｓ  ａｎｄ  Ｍｅｔｈｏｄｓ  Ｅｍｐｌｏｙｉｎｇ  Ａ  Ｆｌｕｉｄｌｙ  Ｉｓｏｌａｔｅｄ  Ｐｕｍｐ  Ｃｏｎｔｒｏｌ  Ｕｎｉｔ」）（あらゆる点に関して本願明細書に援用する）の利益を主張する。
【０００２】
本開示は、概して減圧治療システムに関し、より具体的には、限定はしないが、減圧キャニスター、方法、およびシステムに関する。
【背景技術】
【０００３】
臨床試験および実習において、組織部位に近接して減圧をもたらすことによって、組織部位における新しい組織の生成を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には迅速な治癒や肉芽組織の形成加速化が含まれる。一般に、減圧は、多孔質パッドまたは他のマニホールド装置を通して組織に加えられる。多孔質パッドはセルまたは細孔を含み、それらセルまたは細孔は、減圧を組織に分配し、および組織から引き出された流体を導くことができる。
【発明の概要】
【０００４】
例示的かつ非限定的な実施形態によれば、減圧により患者の組織部位を治療するためのシステムと共に使用するための減圧治療装置は、少なくとも１つのダイアフラムを備えるポンプヘッドであって、組織部位に流体的に結合されて組織部位に減圧をもたらすポンプヘッドと、ポンプヘッドに流体的に結合され、組織部位から流体を収集する液溜めとを有するキャニスター部を含む。減圧治療装置はまた、キャニスター部とは流体的に分離され、かつポンプエネルギーをポンプヘッドに提供して、ポンプヘッドに減圧を生成させるように動作可能なポンプ制御部を含む。ポンプ制御部は、制御装置と、制御装置に電力を提供する電力系統とを有し得る。減圧治療装置は、キャニスター部およびポンプ制御部に関連付けられた少なくとも１つのリンキングインターフェースをさらに含む。リンキングインターフェースは、ポンプエネルギーをポンプヘッドに提供して、減圧を生成させる。
【０００５】
別の例示的かつ非限定的な実施形態によれば、患者の組織部位に減圧治療を行うための減圧治療システムは、組織部位に近接して配置するマニホールドと、組織部位およびマニホールドを覆って配置され、かつ流体シールを形成するように動作可能なシール部材と、減圧治療装置とを含む。減圧治療装置は、少なくとも１つのダイアフラムを備えるポンプヘッドであって、組織部位に流体的に結合して組織部位に減圧をもたらすためのもであるポンプヘッドと、ポンプヘッドに流体的に結合され、組織部位から流体を収集する液溜めとを有するキャニスター部を含む。減圧治療装置はまた、キャニスター部とは流体的に分離され、かつポンプエネルギーをポンプヘッドに提供してポンプヘッドに減圧を生成させるように動作可能なポンプ制御部を含む。ポンプ制御部は、制御装置と、制御装置に電力を提供する電力系統とを有し得る。減圧治療装置は、キャニスター部およびポンプ制御部に関連付けられた少なくとも１つのリンキングインターフェースをさらに含む。リンキングインターフェースは、ポンプヘッドにエネルギーを提供して減圧を生成させる。
【０００６】
別の例示的かつ非限定的な実施形態によれば、患者の組織部位に減圧治療を行う方法は、組織部位に近接してマニホールドを配置するステップと、マニホールドおよび患者の表皮を覆ってシール部材を配置するステップと、シール部材と患者の表皮との間に流体シールを形成するステップと、マニホールドに減圧を供給するステップとを含む。マニホールドに減圧を供給するステップは、ダイアフラムと実質的に整列している第１の電磁石に電流を流すことを含む。第１の電磁石は、ダイアフラムとは流体的に隔離されている。第１の電磁石は、ダイアフラムを第１の位置から第２の位置に撓ませ、ダイアフラムが第１の位置と第２の位置との間で動くことによって、流体運動が生じて減圧が生成される。
【０００７】
別の例示的かつ非限定的な実施形態によれば、１名以上の患者に複数の減圧治療を行う方法は、減圧治療システムを提供するステップを含む。減圧治療システムは、液溜めを備えて形成された第１のキャニスター本体と、液溜めに流体的に結合され、患者から液溜めに流体を供給する導管と、第１のキャニスター本体に取り付けられ、かつ液溜め内に減圧を発生させるように動作可能なポンプと、ポンプを起動しかつ制御するために、ポンプに結合された取り外し可能なパワー・制御ユニットと、リサイクルセンターへの配送中にパワー・制御ユニットを収容して保持するための、備え付けの配送用容器とを含む。取り外し可能なパワー・制御ユニットは、ユーザによって取り外されるように動作可能である。この方法は、減圧治療システムを使用して患者から流体を除去するステップと、使用後に第１のキャニスターからパワー・制御ユニットを取り外すステップと、パワー・制御ユニットを備え付けの配送用容器に入れて、再調整センターに配送するステップとをさらに含む。この方法はまた、パワー・制御ユニットを再調整して、パワー・制御ユニットを第２のキャニスターハウジングに取り外し可能に結合するステップを含み得る。
【０００８】
別の例示的かつ非限定的な実施形態によれば、減圧治療を受けている複数の患者に使用するための流体収集システムは、液溜めを備えて形成されたキャニスター本体と、液溜めに流体的に結合され、患者から液溜めに流体を供給する導管と、キャニスター本体に取り付けられ、かつ液溜め内に減圧を発生させるように動作可能なポンプと、ポンプを起動して制御するために、ポンプに結合された取り外し可能なパワー・制御ユニットとを含む。取り外し可能なパワー・制御ユニットは、ユーザによって取り外されるように動作可能である。流体収集システムは、リサイクルセンターへの配送中にパワー・制御ユニットを収容して保持するために、備え付けの配送用容器をさらに含み得る。
【０００９】
別の例示的かつ非限定的な実施形態によれば、１名以上の患者に複数の減圧治療を行う方法は、減圧治療システムを提供するステップを含む。減圧治療システムは、液溜めを備えて形成された第１のキャニスター本体と、液溜めに流体的に結合され、患者から液溜めに流体を供給する導管と、第１のキャニスター本体に取り付けられ、かつ液溜め内に減圧を発生させるように動作可能なポンプと、ポンプを制御するためにポンプに結合された制御ユニットと、ポンプを起動するためにポンプに結合された取り外し可能なパワーユニットとを含む。取り外し可能なパワーユニットは、ユーザによって取り外されるように動作可能である。減圧治療システムはまた、リサイクルセンターへの配送中にパワーユニットを収容して保持するための、備え付けの配送用容器を含み得る。この方法は、減圧システムを使用して患者から流体を除去するステップと、使用後に第１のキャニスターからパワーユニットを取り外すステップと、パワーユニットを備え付けの配送用容器に入れて、再調整センターに配送するステップとをさらに含む。この方法はまた、パワーユニットを再調整して、パワーユニットを第２のキャニスターハウジングに取り外し可能に結合するステップを含む。
【００１０】
別の例示的かつ非限定的な実施形態によれば、減圧治療を受けている複数の患者に使用するための流体収集システムは、液溜めを備えて形成された第１のキャニスター本体と、液溜めに流体的に結合され、患者から液溜めに流体を供給する導管と、第１のキャニスター本体に取り付けられ、かつ液溜め内に減圧を発生させるように動作可能なポンプと、ポンプを制御するためにポンプに結合された制御ユニットと、ポンプを起動するためにポンプに結合された取り外し可能なパワーユニットとを含む。取り外し可能なパワーユニットは、ユーザによって取り外されるように動作可能である。システムは、リサイクルセンターへの配送中にパワーユニットを収容して保持するための、備え付けの配送用容器をさらに含む。
【００１１】
別の例示的かつ非限定的な実施形態によれば、１名以上の患者に複数の減圧治療を行う方法は、減圧治療システムを提供するステップを含む。減圧システムは、液溜めを備えて形成された第１のキャニスター本体と、液溜めに流体的に結合されて、患者から液溜めに流体を供給する導管と、第１のキャニスター本体に結合され、かつ液溜め内に減圧を発生させるように動作可能な取り外し可能なポンプとを含む。取り外し可能なポンプは、ユーザによって取り外されるように動作可能である。減圧システムは、ポンプを起動して制御するために、ポンプに結合された取り外し可能なパワー・制御ユニットをさらに含む。取り外し可能なパワー・制御ユニットは、ユーザによって取り外されるように動作可能である。減圧システムは、リサイクルセンターへの配送中にポンプとパワー・制御ユニットとを収容して保持するための、備え付けの配送用容器をさらに含む。この方法は、減圧システムを使用して患者から流体を除去するステップと、使用後にポンプとパワー・制御ユニットとを第１のキャニスターから取り外すステップと、ポンプとパワー・制御ユニットとを備え付けの配送用容器に入れて、再調整センターに配送するステップとをさらに含む。この方法は、ポンプとパワー・制御ユニットとを再調整して、ポンプとパワー・制御ユニットとを第２のキャニスターハウジングに取り外し可能に結合するステップをさらに含み得る。
【００１２】
別の例示的かつ非限定的な実施形態によれば、減圧治療を受けている複数の患者に使用するための流体収集システムは、液溜めを備えて形成された第１のキャニスター本体と、液溜めに流体的に結合され、患者から液溜めに流体を供給する導管と、第１のキャニスター本体に結合され、かつ液溜め内に減圧を発生させるように動作可能な取り外し可能なポンプとを含む。取り外し可能なポンプは、ユーザによって取り外されるように動作可能である。流体収集システムは、ポンプを起動して制御するために、ポンプに結合された取り外し可能なパワー・制御ユニットをさらに含む。取り外し可能なパワー・制御ユニットは、ユーザによって取り外されるように動作可能である。流体収集システムは、リサイクルセンターへの配送中にポンプとパワー・制御ユニットとを収容して保持するための、備え付けの配送用容器をさらに含む。
【００１３】
別の例示的かつ非限定的な実施形態によれば、減圧治療を受けている複数の患者に使用するための流体収集システムは、液溜めを備えて形成されたキャニスター部と、液溜めに流体的に結合され、患者から液溜めに流体を供給する導管と、接続部材と、接続部材によってキャニスター部に結合されたポンプ制御部とを含む。ポンプ制御部は、ポンプと、ポンプを制御するための制御エレクトロニクスと、パワーユニットとを含む。ポンプは、液溜めに流体的に結合され、かつ液溜め内に減圧を発生させるように動作可能である。接続は、ポンプ制御部およびキャニスター部を相対的な位置に選択的に保持し、かつポンプ制御部とキャニスター部とを選択的に分離できるように動作可能である。
【００１４】
別の例示的かつ非限定的な実施形態によれば、１名以上の患者に複数の減圧治療を行う方法は、減圧治療システムを提供するステップを含む。減圧治療システムは、液溜めを備えて形成されたキャニスター部と、液溜めに流体的に結合され、患者から液溜めに流体を供給する導管と、接続部材と、接続部材によってキャニスター部に結合されたポンプ制御部とを含む。ポンプ制御部は、ポンプと、ポンプを制御するための制御エレクトロニクスと、パワーユニットとを含む。ポンプは、液溜めに流体的に結合され、かつ液溜め内に減圧を発生させるように動作可能である。接続部材は、ポンプ制御部およびキャニスター部を相対的な位置に選択的に保持し、かつポンプ制御部とキャニスター部とを選択的に分離できるように動作可能である。この方法は、減圧治療システムを使用して流体を収集するステップと、接続部材の接続を解除して、ポンプ制御部がキャニスター部とは分離されるようにするステップと、キャニスター部を廃棄するステップと、ポンプ制御部をリサイクルセンターに配送して、第２のキャニスター部と共に使用するステップとをさらに含む。
【００１５】
例示的な実施形態の他の特徴および利点は、図面および以下の詳細な説明を参照することにより明らかとなる。
【図面の簡単な説明】
【００１６】
【図１】図１は、減圧治療システムの例示的かつ非限定的な実施形態の、一部分を断面図で示し、かつ一部分を斜視図で示す概略図である。
【図２】図２は、減圧治療装置の例示的かつ非限定的な実施形態の概略的な分解斜視図である。
【図３】図３は、図２の減圧治療装置を組立状態で示す概略的な斜視図である。
【図４】図４は、減圧治療装置の例示的かつ非限定的な実施形態の概略図である。
【図５Ａ】図５Ａは、リンキングインターフェースの例示的かつ非限定的な実施形態を示し、ポンプヘッドの一部分を、ポンピング時のある位置での状態を示す概略図である。
【図５Ｂ】図５Ｂは、リンキングインターフェースの例示的かつ非限定的な実施形態を示し、ポンプヘッドの一部分を、ポンピング時の別のある位置での状態を示す概略図である。
【図５Ｃ】図５Ｃは、リンキングインターフェースの例示的かつ非限定的な実施形態を示し、ポンプヘッドの一部分を、ポンピング時の別のある位置での状態を示す概略図である。
【図６】図６は、組織部位から受け取った流体に直接作用するポンプヘッドを示す例示的な減圧治療装置の概略図である。
【図７】図７は、減圧治療装置の別の例示的かつ非限定的な実施形態の概略図である。
【図８】図８は、減圧治療装置の例示的かつさらに別の非限定的な実施形態の概略図である。
【図９】図９は、減圧治療システムの態様として使用するための流体収集システムの例示的かつ非限定的な実施形態の概略図である。
【図１０】図１０は、図９の流体収集システムの概略図である。
【図１１】図１１は、図９の流体収集システムの概略図である。
【図１２】図１２は、図９の流体収集システムの概略図である。
【図１３】図１３は、ユニットが挿入されている、備え付けの配送用容器の例示的かつ非限定的な実施形態の概略的な斜視図である。
【図１４Ａ】図１４Ａは、別の例示的な備え付けの配送用容器の第１の部分の例示的かつ非限定的な実施形態の概略図である。
【図１４Ｂ】図１４Ｂは、備え付けの配送用容器の第２の部分の例示的かつ非限定的な実施形態の概略的な斜視図であり、第２の部分は、図１４Ａに示す第１の部分と合うようなサイズで構成されている。
【図１５】図１５は、流体収集システムの構成要素またはユニットを収容するのに適した、備え付けの配送用容器の例示的かつ非限定的な実施形態の概略的な分解斜視図である。
【図１６】図１６は、減圧治療を受けている複数の患者に使用するための流体収集システムの例示的かつ非限定的な実施形態の概略図である。
【図１７】図１７は、減圧治療を受けている複数の患者に使用するための流体収集システムの例示的かつ非限定的な実施形態の概略的な斜視図である。
【発明を実施するための形態】
【００１７】
以下の例示的な実施形態の詳細な説明において、本明細書の一部をなす添付図面を参照する。これらの実施形態は、当業者が本発明を実施できるようにするのに十分な程度、詳細に説明し、および、他の実施形態を使用し得ること、および本発明の趣旨または範囲から逸脱せずに、論理的な構造上の、機械的な、電気的なおよび化学的な変更がなされ得ることが理解される。当業者が、本明細書で説明する実施形態を実施できるようにするのに必要ではない詳細を避けるために、説明では、当業者に公知の特定の情報を省略し得る。以下の詳細な説明は、限定ととられるべきではなく、例示的な実施形態の範囲は、添付の特許請求の範囲によってのみ定義される。
【００１８】
図面、まず図１〜４を参照して、患者の組織部位１０２に減圧治療を行うための減圧治療システム１００の例示的かつ非限定的な実施形態を説明する。減圧治療システム１００は、組織部位１０２に近接して配置されたマニホールド１０４を含む。組織部位１０２は、骨組織、脂肪組織、筋組織、皮膚組織、脈管組織、結合組織、軟骨、腱、靭帯、または任意の他の組織を含む、いずれかのヒト、動物、または他の生物の体の組織とし得る。この実施形態では、組織部位１０２は、体腔、特に腹腔の組織を含み、腹腔内容物または腹腔内容物に近接した組織を含む。組織部位１０２の治療は、流体、例えば腹水の除去、腹腔の保護、または減圧の供給を含み得る。
【００１９】
マニホールド１０４には減圧治療装置１０６が流体的に結合されている。減圧治療装置１０６はキャニスター部１０８およびポンプ制御部１１０を有する。ポンプ制御部１１０は、キャニスター部１０８とは流体的に分離または隔離されている。ポンプ制御部１１０とキャニスター部１０８とを流体的に分離することによって、ポンプ制御部１１０が流体によって汚染されないようにする。また、ポンプ制御部１１０とキャニスター部１０８とを分離することは、ポンプ制御部１１０の高価な構成要素の再使用を容易にする。さらに、一部の実施形態では、分離は、キャニスター部１０８を使い捨てにすることを容易にし得る。ポンプ制御部１１０およびキャニスター部１０８について、以下さらに説明する。
【００２０】
減圧治療システム１００を使用して、創傷１１２になっているとし得る組織部位１０２を治療する。例示的かつ非限定的な一実施形態では、創傷１１２は、表皮１１４、真皮１１６、および皮下組織１１８を通って存在するかまたはそれらを含む。減圧治療システム１００はまた、他の組織部位にも使用し得る。組織部位１０２は、骨組織、脂肪組織、筋組織、皮膚組織、脈管組織、結合組織、軟骨、腱、靭帯、または任意の他の組織を含む、いずれかのヒト、動物、または他の生物の体の組織とし得る。他に指定のない限り、本明細書では、「または」は相互排他性を意味するものではない。
【００２１】
マニホールド１０４は、組織部位１０２に近接して配置される。マニホールドは、組織部位１０２に減圧を加える、組織部位１０２に流体を供給する、または組織部位１０２から流体を除去するのを支援するために設けられる物体または構造を指す。マニホールド１０４は、一般に複数の流路または流れ経路を含み、それら複数の流路または流れ経路は、マニホールド１０４周囲の組織部位１０２へ流体をもたらしかつその組織部位から流体を除去するように分配する。例示的な一実施形態では、流路または流れ経路は相互に接続されて、組織部位１０２に対してへの流体の提供またはその組織部位からの流体の除去の分配を改善することができる。マニホールド１０４は、組織部位１０２と接触して配置されかつ組織部位１０２に減圧を分配することができる生体適合性材料とし得る。マニホールド１０４の例は、例えば、限定するものではないが、流路を形成するように配置された構造要素を有する装置、例えば、セル状発泡体、開放セル発泡体、多孔性組織集合体、液体、ゲル、および流路を含むまたは硬化して流路を含む発泡体などを含み得る。マニホールド１０４は多孔性としてもよく、および発泡体、ガーゼ、フェルトのマット、または特定の生物学的応用に好適な任意の他の材料から作製し得る。一実施形態では、マニホールド１０４は多孔質発泡体であり、流路の機能を果たす複数の連続セルまたは細孔を含む。多孔質発泡体は、ポリウレタンの開放セルの網状発泡体、例えばＫｉｎｅｔｉｃ  Ｃｏｎｃｅｐｔｓ，Ｉｎｃｏｒｐｏｒａｔｅｄ（Ｓａｎ  Ａｎｔｏｎｉｏ、Ｔｅｘａｓ）製のＧｒａｎｕＦｏａｍ（登録商標）材などとし得る。場合によっては、マニホールド１０４はまた、薬剤、抗菌薬、成長因子、および様々な溶液などの流体を組織部位１０２に分配するためにも使用し得る。マニホールド１０４にまたはマニホールド１０４上に、吸収材料、ウィッキング材料、疎水性材料、および親水性材料などの他の層が含まれ得る。
【００２２】
一実施形態では、マニホールド１０４は、減圧ドレッシングを使用後に患者の体から取り出す必要のない生体再吸収性材料から構成し得る。好適な生体再吸収性材料は、限定するものではないが、ポリ乳酸（ＰＬＡ）とポリグリコール酸（ＰＧＡ）のポリマーブレンドを含み得る。ポリマーブレンドはまた、限定するものではないが、ポリカーボネート、ポリフマレート、およびカプララクトン（ｃａｐｒａｌａｃｔｏｎｅｓ）を含み得る。マニホールド１０４は、新しい細胞増殖のための足場としての機能をさらに果たしてもよいし、または細胞増殖を促進するためにマニホールド１０４と足場材料が一緒に使用されてもよい。足場は、細胞増殖または組織形成を増進させるまたは促進するのに使用される物体または構造であり、例えば、細胞増殖のテンプレートを提供する三次元の多孔質構造である。足場材料の例示的な例は、リン酸カルシウム、コラーゲン、ＰＬＡ／ＰＧＡ、コーラルヒドロキシアパタイト（ｃｏｒａｌ  ｈｙｄｒｏｘｙ  ａｐａｔｉｔｅ）、カーボネート、または加工された同種移植片材料を含む。
【００２３】
患者の表皮１１４の一部分およびマニホールド１０４を覆ってシール部材１２０が配置される。シール部材１２０は、エラストマー材料、または流体シールをもたらす任意の材料もしくは物質とし得る。エラストマーの例は、限定はされないが、天然ゴム、ポリイソプレン、スチレンブタジエンゴム、クロロプレンゴム、ポリブタジエン、ニトリルゴム、ブチルゴム、エチレンプロピレンゴム、エチレンプロピレンジエンモノマー、クロロスルホン化ポリエチレン、多硫化ゴム、ポリウレタン、ＥＶＡフィルム、コ−ポリエステル、およびシリコーンを含み得る。さらに、シール部材１２０は、シリコーンドレープ、３Ｍ  Ｔｅｇａｄｅｒｍ（登録商標）ドレープ、Ａｖｅｒｙ  Ｄｅｎｎｉｓｏｎから入手可能なものなどのアクリルドレープを含み得る。
【００２４】
シール部材１２０は、シール部材１２０と患者の表皮１１４との間での流体シールの形成を助ける取付装置１２２を有し得る。取付装置１２２は、シール部材１２０を患者の表皮１１４または別の層、例えばガスケットまたは追加的なシール部材に押し当てるために使用し得る。取付装置１２２は多くの形態を取り得る。例えば、取付装置１２２は、医学的に容認できる感圧接着剤または親水コロイドとしてもよく、シール部材１２０の周囲に延在する。流体シールは、特定の減圧源または関連のサブシステムによって与えられた減圧を所望の部位に維持するのに適切である。
【００２５】
シール部材１２０に減圧インターフェース１２４が結合されて、マニホールド１０４への流体路を提供し得る。減圧供給導管１２６が減圧治療装置１０６と減圧インターフェース１２４を流体的に結合している。例示的な一実施形態では、減圧インターフェース１２４は、ＫＣＩ（Ｓａｎ  Ａｎｔｏｎｉｏ、Ｔｅｘａｓ）から入手可能なＴ．Ｒ．Ａ．Ｃ．（登録商標）ＰａｄまたはＳｅｎｓａ  Ｔ．Ｒ．Ａ．Ｃ．（登録商標）Ｐａｄである。減圧インターフェース１２４があることで、組織部位１０２に減圧を供給できるようになる。組織部位に加えられる減圧の量および性質は一般に適用例に従って変動するものの、減圧は、一般に−５ｍｍ  Ｈｇ（−６６７Ｐａ）〜−５００ｍｍ  Ｈｇ（−６６．７ｋＰａ）、より典型的には−７５ｍｍ  Ｈｇ（−９．９ｋＰａ）〜−３００ｍｍ  Ｈｇ（−３９．９ｋＰａ）である。例えば、限定ではないが、圧力は、−１２、−１２．５、−１３、−１４、−１４．５、−１５、−１５．５、−１６、−１６．５、−１７、−１７．５、−１８、−１８．５、−１９、−１９．５、−２０、−２０．５、−２１、−２１．５、−２２、−２２．５、−２３、−２３．５、−２４、−２４．５、−２５、−２５．５、−２６、−２６．５ｋＰａまたは別の圧力とし得る。
【００２６】
減圧は、治療を施されている組織部位における周囲圧力に満たない圧力である。ほとんどの場合、この減圧は、患者がいる場所の気圧に満たない。あるいは、減圧は、組織部位における静水圧未満とし得る。減圧は、初めに、マニホールド１０４に、減圧供給導管１２６に、および組織部位１０２の近傍に流体の流れを生成し得る。組織部位１０２の周りの静水圧が所望の減圧に達すると、流れは弱まり、かつ減圧が維持され得る。他に指定のない限り、本明細書で挙げられた圧力の値は、ゲージ圧である。供給される減圧は、一定であってもまたは変動しても（パターン化またはランダム）よく、連続的にまたは断続的に供給され得る。用語「真空」および「負圧」を使用して、組織部位に加えられる圧力を説明してもよいが、組織部位１０２に加えられる実際の圧力は、通常完全な真空に関連する圧力を上回り得る。本明細書での使用に一致して、減圧または真空圧の上昇は、絶対圧の相対的減少を指す。
【００２７】
減圧治療装置１０６は減圧を供給し、かつ組織部位１０２から滲出液などの流体を受け取る。減圧治療装置１０６は、クリップ部材１２８などの取付装置を含み、ポンプ制御部１１０に近接してキャニスター部１０８を保持する。図示の実施形態における取付装置またはクリップ部材１２８は、キャニスター部１０８をポンプ制御部１１０に実質的にぴったりとくっつけて保持し得る。キャニスター部１０８とポンプ制御部１１０との間に空隙チャネル１３０が形成され得る。キャニスター部１０８の前側部分１３２は、キャニスター部１０８内の流体がキャニスター部１０８の外側から見えるように、透明とし得る。キャニスター部１０８内の液体量を視覚的に判断するために、前側部分１３２には目盛尺１３４が含まれ得る。減圧供給導管１２６は、キャニスター部１０８に流体的に結合して、組織部位１０２に減圧を供給し、かつ組織部位１０２からの流体をキャニスター部１０８に供給する。
【００２８】
ここで主に図２を参照して、減圧治療装置１０６の分解図を説明する。ポンプ制御部１１０は、ベース部分１４０とカバー１４２とを含み得るポンプ制御部ハウジング１３８を含み得る。ベース部分１４０の内部１４４は、バッテリー１４６、すなわちパワーユニット、または他の電源を含み得る。一実施形態では、バッテリー１４６は、充電台（図示せず）上に減圧治療装置１０６を置くことによって、再充電され得る。内部１４４はまた、第１の電磁石１４８および第２の電磁石１５０を含み得る。電磁石１４８、１５０は、例えば電磁コイルまたはソレノイドとし得る。内部１４４には制御装置１５２が含まれ、制御装置は、電磁石１４８、１５０用の制御要素を提供する。制御装置１５２はまた、以下説明するようにユーザインターフェース装置１３６からの入力を実行し得る。カバー１４２は、ベース部分１４０と合うようなサイズで構成され、かつベース部分との実質的な液密シールを提供する。カバー１４２は、溶接、締結具、または他の結合技術によってベース部分１４０に取り外し可能にまたは永久的に接合され得る。
【００２９】
ポンプ制御部１１０は、キャニスター部１０８にごく接近して固定するように構成される。例示的な実施形態では、キャニスター部１０８は、クリップ部材１２８の内側に配置されるように作製され、かつキャニスター部１０８をポンプ制御部１１０に押し当てるように締まり嵌めを形成する。キャニスター部１０８にポンプ制御部１１０をごく接近させて保持するために、多数の他の技術および装置を使用し得ることを理解されたい。
【００３０】
キャニスター部１０８はポンプヘッド１５４を含む。ポンプヘッド１５４は、１つ以上のダイアフラム、例えば第１のダイアフラム１５６および第２のダイアフラム１５８を含み得る。ダイアフラムは、半撓み性または撓み性材料のシートを含み、シートの周辺部が壁に固定されている。ポンプヘッド１５４は、ポンプ室１６０をさらに含み得る。ポンプヘッド１５４は、導管またはアパーチャ１６２を通って液溜め１６４まで供給される減圧を生成するように動作可能であり、その液溜めは、１つ以上のバッフル１６６を含み得る。キャニスター部１０８はベース部分１６８および膜１７０を有する。膜１７０は透湿性とし得る。膜１７０は、液溜め１６４の少なくとも一部分を覆い、かつある程度バッフル１６６によって支持され得る。キャニスター部１０８のベース部分１６８は凹部分１７２を含み、その凹部分が、組立時にキャニスター部１０８とポンプ制御部１１０との間に空隙チャネル１３０を形成する。膜１７０は、液溜め１６４から水蒸気が大気に通過できるようにする超高透湿度（ＭＶＴＲ）膜とし得る。空隙チャネル１３０は水蒸気の移動を容易にする。
【００３１】
減圧供給導管１２６は、減圧入口１７４とインターフェースし、かつポンプ室１６０と流体連通している収容室１７６に流体を供給する。第２の電磁石１５０は、第２のダイアフラム１５８の位置を測定することによって、減圧供給導管１２６、従って、組織部位１０２の減圧レベルを監視し得る第２の圧力検出器とし得る。第２のダイアフラム１５８の位置は、第２のダイアフラム１５８が変位する際に第２の電磁石１５０が受けるインダクタンスの変化によって測定される。同様に、第１の電磁石１４８は、第１のダイアフラム１５６が動く際に第１の電磁石１４８が受けるインダクタンスの変化により第１のダイアフラム１５６の位置を測定することによって、キャニスター部１０８の圧力を測定し得る第１の圧力検出器（図示せず）を含み得る。
【００３２】
ここで主に図４を参照すると、減圧治療装置１０６は、キャニスター部１０８およびポンプ制御部１１０を含む。ポンプ制御部１１０は、ポンプヘッド１５４とは流体的に分離または隔離されている。ポンプ制御部１１０はまた、キャニスター部１０８とは流体的に分離されている。ポンプ制御部１１０は、ポンプエネルギーをポンプヘッド１５４に伝達または提供する。ポンプエネルギーは、同様に、ポンプヘッド１５４の構成要素、例えば、第１のダイアフラム１５６を動かし、この動きを使用して減圧を生成する。一部の実施形態では、第２のダイアフラム１５８をポンプヘッド１５４に含ませて、減圧の生成または減圧の測定を行うようにし得る。
【００３３】
第１のダイアフラム１５６およびポンプ室１６０（図２）にはバルブ組立体１８４が関連付けられ得る。バルブ組立体１８４は、例えば、１つ以上の一方向弁（例えば、図５Ａの一方向弁１９４を参照）としてもよく、流体をポンプ室１６０から出して、減圧を生成するようにし、その減圧を導管１８０に伝達させる。減圧を生成するために可動構成要素を使用する他の技術を使用してもよい。
【００３４】
ポンプ制御部１１０は、ユーザインターフェース装置１３６、制御装置１５２、および電源サブシステム１７８、例えばバッテリー１４６（図２）を含み得る。ポンプ制御部１１０は、一動作設定用に構成されてもよく、そのような例示的な実施形態では、電源サブシステム１７８からの電力が制御装置１５２に直接供給され得る。次いで、減圧治療装置１０６は予め設定されたレベルで減圧を生成する。
【００３５】
別の例示的な実施形態では、ユーザが減圧治療装置１０６にパラメータ、例えば所望の圧力範囲、動作持続時間、または他の性能パラメータなどを入力し得る。この後者の例示的な実施形態では、ユーザインターフェース装置１３６を使用し得る。ユーザインターフェース装置１３６は、入力用のセレクタボタンならびにユーザに情報およびオプションを示すディスプレイを備えるパネルとし得る。ユーザインターフェース装置１３６は、電源サブシステム１７８および制御装置１５２に電気的に結合され得る。
【００３６】
ユーザインターフェース装置１３６は、ユーザのインタラクションを受け取って、かつそれを、減圧治療装置１０６で使用するための電気またはソフトウェアコード命令に翻訳する。ユーザインターフェース装置１３６は、ＬＣＤ、ＯＬＥＤ、またはＬＥＤスクリーン上の（またはそれらを備える）静電容量式または抵抗膜式タッチパネル；ボタンおよびＬＥＤを備える膜パネル；ＬＥＤを備える、エンクロージャに装着されたボタン；エンクロージャに装着された静電容量センサー；ジェスチャー認識カメラ；または上述の技術の組み合わせとし得る。例示的かつ非限定的な一実施形態では、ユーザインターフェース装置１３６は、制御装置１５２に伝えられ得る命令を決定するために復号化を必要としない基本スイッチである。別の例示的な実施形態では、ユーザインターフェース装置１３６は、タッチスクリーンとＬＣＤとの組み合わせであり、ユーザ命令を決定するためにソフトウェアコードを必要とする。一般的に、ユーザインターフェース装置１３６は、ユーザからの命令を決定して制御装置１５２へ通信し、かつ、制御装置１５２またはモジュールからの処理のステータスについてユーザにフィードバックを送信し得る。
【００３７】
制御装置１５２は、減圧治療システム１００によって投与された治療を制御し、かつ、この例示的な実施形態では、ユーザインターフェース装置１３６を介したユーザからの命令に基づいて、リンキングインターフェース１８６、１８８のアクションを制御する。制御装置１５２は、下記でさらに説明するように、電源サブシステム１７８によってもたらされた電力を、第１のリンキングインターフェース１８６および第２のリンキングインターフェース１８８用のポンプエネルギーに変換し、かつ、リンキングインターフェース１８６、１８８を順序付けし得る。一部の例示的な実施形態では、制御装置１５２は、治療コードを実行するマイクロプロセッサなどの制御エレクトロニクスと、リンキングインターフェース１８６、１８８を制御できるドライブエレクトロニクスとを含む。制御装置１５２用の電力は電源サブシステム１７８から得られ、その電源サブシステムは、減圧治療システム１００に適切なレベルの電力を提供して、制御装置１５２およびリンキングインターフェース１８６、１８８を駆動する。
【００３８】
電源サブシステム１７８は、制御装置１５２およびユーザインターフェース装置１３６にデータを通信しかつ電力を伝達し得る。電源サブシステム１７８は、制御装置１５２およびユーザインターフェース装置１３６に適切な電力を提供し、かつ、制御装置１５２によって監視できるステータス情報を提供し得る。ステータス情報は、電源サブシステム１７８が主電源に接続されているかどうか、およびバッテリーの充電状態を含み得る。ステータス情報は、ユーザインターフェース装置１３６を介してユーザに提示され得る。電源サブシステム１７８はまた、バッテリーを充電し、かつ、主電源接続が切断される場合にバッテリーへ切り替え得る。
【００３９】
キャニスター部１０８は、液溜め１６４およびポンプヘッド１５４を含む。この例示的な実施形態では、減圧供給導管１２６が、減圧入口１７４を経て液溜め１６４に流体を供給する。ポンプヘッド１５４は、ポンプエネルギーを受け取ると、減圧を生じる。減圧は、導管１８０を通って液溜め１６４へ供給される。導管１８０は、１つ以上のフィルター１８２、例えば疎水性フィルターなどを含み、液体がポンプヘッド１５４を汚染しないようにし得る。キャニスター部１０８は、創傷１１２（図１）からの気体を減圧治療装置１０６の外部に放出させる通気口導管１９６をさらに含み得る。
【００４０】
動作中、ポンプエネルギーは、第１のリンキングインターフェース１８６などの少なくとも１つのリンキングインターフェースによってポンプヘッド１５４に供給される。この例示的な実施形態では、第１のリンキングインターフェース１８６は、第１の電磁石１４８と、第１のダイアフラム１５６に関連付けられた第１の磁石部材１９０とを含む。第１の磁石部材１９０は、座金、または第１のダイアフラム１５６に結合された他の部材とし得る。
【００４１】
一部の実施形態では、ユーザは、ユーザインターフェース装置１３６を使用して減圧治療装置１０６を起動する。制御装置１５２は第１の電磁石１４８を起動して交番磁界を発生させ、その交番磁界は、第１のダイアフラム１５６上の第１の磁石部材１９０に磁気的に結合される。第１の電磁石１４８は、第１のダイアフラム１５６の位置と実質的に整列した方向に電磁界を生成し得る。バルブ組立体１８４と連動して第１のダイアフラム１５６が動くことによって減圧を生成でき、その減圧は、導管１８０に届けられて液溜め１６４へ供給される。次いで、減圧が減圧供給導管１２６を通って組織部位１０２に伝達される。ポンプ制御部１１０とキャニスター部１０８との間に流体連通が全くなくても、第１のリンキングインターフェース１８６によって、ポンプエネルギーをポンプヘッド１５４に供給できることを理解されたい。従って、キャニスター部１０８内の汚染物質−気体または液体にかかわらず−は、ポンプ制御部１１０に到達することができない。ポンプ制御部１１０には、より価値の高い構成要素が存在してもよく、汚染から保護される。一実施形態では、キャニスター部１０８は使い捨てとしてもよく、継続的な適用に対して、新しいキャニスター部を同じポンプ制御部１１０と使用してもよい。
【００４２】
一部の実施形態では、第２のダイアフラム１５８を第２のリンキングインターフェース１８８と共に使用して減圧を生成し得る。第２のダイアフラム１５８は第２の磁石部材１９２を有し、かつ第１のダイアフラム１５６および第１のリンキングインターフェース１８６と同じ様に第２のリンキングインターフェース１８８と連携する。別の実施形態では、第２のダイアフラム１５８は、ポンプヘッド１５４内の圧力を測定するために設け得る。
【００４３】
この後者の実施形態では、第２のダイアフラム１５８、特に第２の磁石部材１９２の変位は、第２の電磁石１５０が受ける誘導の変化によって感知される。第２のダイアフラム１５８の変位を検知するために他の技術を使用してもよい。例えば、ポンプ制御部１１０は、第２のダイアフラム１５８に、特に、限定するものではないが、磁石部材１９２がある面またはあるはずの面に赤外線信号を送信する赤外線センサーを含み得る。赤外線信号は赤外線センサーに戻り、距離が検出されて、変位が確認され得る。別の例では、ポンプ制御部１１０は静電容量センサーを含んでもよく、および第２のダイアフラム１５８はプレートを含んでもよく、そのプレートは、動かされると静電容量を変化させ、それがポンプ制御部１１０上の静電容量センサーによって検出される。別の実施形態では、第２のダイアフラム１５８にフェライト材が結合されてもよい。ポンプ制御部１１０内のホール効果センサーを使用して、フェライトの動きによる磁束の変化を感知してもよく、これにより変位を感知できる。
【００４４】
別の実施形態では、第２のダイアフラム１５８の変位の測定に加えてまたはそれに代えて、ポンプ制御部１１０は、類似の技術を使用して、第１のダイアフラム１５６の変位を判断するセンサーを有してもよい。この後者の実施形態では、減圧治療装置１０６は、第１のダイアフラム１５６ポンプエネルギーを提供することを停止し、ポンプヘッド１５４内の減圧が第１のダイアフラム１５６に作用するようにし得る。次いで、センサーは、第１のダイアフラム１５６の変位を測定し得る。ポンプヘッド１５４内の圧力は、変位測定値を使用して判断され得る。両ダイアフラム１５６、１５８を使用して減圧を測定する場合、一方のダイアフラムを使用してポンプヘッド１５４内の圧力を測定し、および他方のダイアフラムを使用して、サンプリング導管（図示せず）内などの別の場所の圧力を測定し得る。サンプリング導管は減圧供給導管１２６に関連付けられ得る。
【００４５】
ここで主に図５Ａ〜５Ｃを参照して、磁気コイル１４９とし得る第１の電磁石１４８が、減圧を生じるために、第１のダイアフラム１５６上の第１の磁石部材１９０およびポンプ室１６０と相互作用する方法を説明する。第１の電磁石１４８は、ベース部分１４０（図２）の内部１４４（図２）にあり、かつ、第１の電磁石１４８と第１のダイアフラム１５６との間にはカバー１４２が配置され得る。図５Ａは、非作動位置、または中立位置にある第１の電磁石１４８を示す。図５Ｂでは、第１の電磁石１４８は作動されており、かつ第１の磁石部材１９０に作用する電磁力を提供する。そのため、電磁力は、第１の磁石部材１９０を第１の電磁石１４８の方へ第１の位置まで動かす。図５Ｃは、第１の電磁石１４８が第１の磁石部材１９０を第１の電磁石１４８から離れるように第２の位置まで動かすように逆向きにされた電磁力を示す。第１の位置のポンプ室１６０の体積（Ｖ１）は、第２の位置の体積（Ｖ２）よりも大きいことを理解されたい。それゆえ、ポンプ室１６０の流体が除去され、その後、第１の磁石部材１９０が第１の電磁石１４８の方へ戻るように動かされると、ポンプ室１６０内に減圧が発生する。一方向弁１９４であるゆえに流体がポンプ室１６０に戻らないために、ポンプ室１６０内は減圧のままとなる。
【００４６】
再び主に図１を参照すると、減圧治療システム１００の動作において、マニホールド１０４は、組織部位１０２に近接して配置される。患者の表皮１１４の一部分およびマニホールド１０４はシール部材１２０で覆われている。シール部材１２０を使用して、マニホールド１０４および組織部位１０２を覆う流体シールを形成するのを助ける。まだ設置されていない場合、減圧インターフェース１２４を設置してマニホールド１０４への流体路を提供する。減圧供給導管１２６を使用して減圧インターフェース１２４を減圧治療装置１０６に流体的に結合する。
【００４７】
次いで減圧治療装置１０６を起動する。一部の実施形態では、減圧治療装置１０６は、ユーザインターフェース装置１３６を使用して起動され得る。上述の通り、減圧治療装置１０６を起動することによって第１のリンキングインターフェース１８６を作動し、かつポンプエネルギーをポンプ制御部１１０からポンプヘッド１５４へ提供する。第２のリンキングインターフェース１８８はまた、ポンプエネルギーをポンプ制御部１１０からポンプヘッド１５４へ、特に第２のダイアフラム１５８へ提供し得る。ポンプエネルギーは少なくとも１つのダイアフラム、例えば、第１のダイアフラム１５６を動かし、上述の通り減圧を発生させる。動作全体にわたってまたは間隔をおいて、ポンプヘッド１５４内のまたは組織部位１０２における圧力を、上述の通りダイアフラム１５６、１５８の変位を感知することによって判断し得る。
【００４８】
ここで主に図６を参照して、減圧治療装置２０６の別の例示的かつ非限定的な実施形態を説明する。減圧治療装置２０６は、ポンプヘッド２５４が、減圧供給導管２２６から直接戻ってくる流体で動作し、それら流体が導管２８０によって液溜め２６４に供給されることを除いて、図４の減圧治療装置１０６と類似している。図４の実施形態にあるように、減圧治療装置２０６はポンプ制御部２１０およびキャニスター部２０８を含む。ポンプ制御部２１０は、図４のユーザインターフェース装置１３６、電源サブシステム１７８、制御装置１５２、第１の電磁石１４８、および第２の電磁石１５０にそれぞれ類似した、制御装置またはユーザインターフェース装置２３６、電源サブシステム２７８、制御装置２５２、第１の電磁石２４８、および第２の電磁石２５０を含み得る。
【００４９】
キャニスター部２０８はポンプヘッド２５４を含む。ポンプヘッド２５４は、第１の磁石部材２９０および第２の磁石部材２９２をそれぞれ有し得る第１のダイアフラム２５６および第２のダイアフラム２５８を含む。ポンプヘッド２５４は、減圧を生じるために第１のダイアフラム２５６と連動して動作するバルブ組立体２８４を含み得る。第１のダイアフラム２５６は、減圧供給導管２２６から供給された流体に直接作用する。キャニスター部２０８は、創傷、例えば図１の創傷１１２からの気体を、減圧治療装置２０６の外部に放出する通気口導管２９６をさらに含み得る。通気口導管２９６にフィルター２９８を追加して、液体および臭気がキャニスター部２０８から出ないようにし得る。
【００５０】
動作中、ポンプエネルギーは、第１のリンキングインターフェース２８６によって第１の電磁石２４８から第１のダイアフラム２５６へ供給される。ポンプエネルギーが第１のダイアフラム２５６を動かして減圧を発生させる。第１のリンキングインターフェース２８６は、第１の電磁石２４８と、第１のダイアフラム２５６上の第１の磁石部材２９０とを含む。第１のリンキングインターフェース２８６は、上述の通り変位を感知することによって、キャニスター部２０８内の圧力をさらに監視し得る。同様に、第２のリンキングインターフェース２８８が第２の電磁石２５０と、第２のダイアフラム２５８上の第２の磁石部材２９２とを含み、組織部位１０２、例えば、図１の創傷１１２における圧力を監視する。
【００５１】
例示的かつ代替的な実施形態に関してではあるが、依然として主に図６を参照すると、リンキングインターフェース２８６、２８８は機械的なリンクとし得る。この例示的な実施形態では、第１のリンキングインターフェース２８６は、第１の電磁石２４８、第１の機械的アクチュエータ（明示せず）、および第１のダイアフラム２５６を含み得る。第１の電磁石２４８は第１の機械的アクチュエータの第１の端部（近位端部）を受け（明示せず）、第１のダイアフラム２５６は、第１の機械的アクチュエータの第２の対向端部（遠位端部）を受ける。作動時、第１の電磁石２４８は第１の機械的アクチュエータを動かし、同様に第１の機械的アクチュエータは第１のダイアフラム２５６を動かす。第１の電磁石２４８は、第１のダイアフラム２５６の位置を測定することによって、キャニスター部２０８内の圧力を監視し得る。同様に、第２のリンキングインターフェース２８８は、第２の電磁石２５０、第２の機械的アクチュエータ（明示せず）、および第２のダイアフラム２５８を含み得る。第２のリンキングインターフェース２８８は第２のダイアフラム２５８を動かして減圧を生じる。それに加えてまたはその代わりに、第２の電磁石２５０は、第２の機械的アクチュエータを介して第２のダイアフラム２５８の位置を測定することによって減圧供給導管２２６内の圧力レベルを監視し得る。第１および第２の機械的アクチュエータは、任意選択で液圧流体を含み得る。それゆえ、第１および第２のリンキングインターフェース２８６、２８８は、第１および第２のダイアフラム２５６、２５８をそれぞれ動かす一方、キャニスター部２０８内の流体路のいずれとも流体的に隔離されたままであるように動作する。
【００５２】
ここで主に図７を参照して、減圧治療装置３０６の別の例示的かつ非限定的な実施形態を説明する。減圧治療装置３０６は、ほとんどの点で図４の減圧治療装置１０６と類似している。例えば、減圧治療装置３０６は、キャニスター部３０８およびポンプ制御部３１０を含む。ポンプ制御部３１０は、図２のユーザインターフェース装置１３６と類似している制御装置またはユーザインターフェース装置３３６を含み得る。ポンプ制御部３１０は電源サブシステム３７８を含む。電源サブシステム３７８およびユーザインターフェース装置３３６は、制御装置３５２に電子的に結合され得る。この例示的な実施形態では、ポンプ制御部３１０は第１のポンプ３５３をさらに含み、かつバルブ組立体３５５をさらに含み得る。第１のポンプ３５３は、単独で、またはバルブ組立体３５５と連動して、第１の導管３５７を通って第１のダイアフラム３５６まで正圧または減圧をもたらし、第１のダイアフラム３５６が動くようにする。同様に、第２の導管３５９が第２のダイアフラム３５８に正圧または減圧をもたらし得る。
【００５３】
キャニスター部３０８は、第１および第２のダイアフラム３５６、３５８を含むポンプヘッド３５４、または第２のポンプを含む。ポンプヘッド３５４には第２のバルブ組立体３８４が含まれ得る。第１のダイアフラム３５６は、単独で、または第２のバルブ組立体３８４と共に、ポンプエネルギーの影響下で動作して減圧をもたらし、その減圧は導管３８０へ、そしてその後液溜め３６４へ供給される。導管３８０は、疎水性フィルターなどの１つ以上のフィルター３８２を含み得る。液溜め３６４内の減圧が減圧供給導管３２６に供給され得る。キャニスター部３０８は、組織部位、例えば図１の創傷１１２からの気体を、減圧治療装置３０６の外部に放出する通気口導管３９６をさらに含み得る。
【００５４】
減圧治療装置３０６では、第１の導管３５７は、第１のリンキングインターフェース３８６の一部分を形成する。第１のリンキングインターフェース３８６は、第１のポンプ３５３（および任意選択でバルブ組立体３５５）と、第１のダイアフラム３５６とをさらに含む。第１のリンキングインターフェース３８６は、第１の圧力検出器（図示せず）を含み得る。それゆえ、第１のポンプ３５３によって生成された正圧または減圧が、第１のダイアフラム３５６に伝達され、ポンプエネルギーを構成し、そのポンプエネルギーを使用してポンプヘッド３５４内に減圧を発生させ得る。キャニスター部３０８内の圧力は、第１の圧力検出器（図示せず）を使用して第１のダイアフラム３５６の位置を測定することによって、監視し得る。同様に、第２の導管３５９は、第２のリンキングインターフェース３８８の一部分を構成する。第２のリンキングインターフェース３８８はまた、第１のポンプ３５３（および任意選択でバルブ組立体３５５）と、第２のダイアフラム３５８と、第２の圧力検出器（図示せず）とを含む。創傷、例えば、図１の創傷１１２における圧力を、第２の圧力検出器（図示せず）を使用して第２のダイアフラム３５８の位置を測定することによって、監視し得る。
【００５５】
第１および第２のリンキングインターフェース３８６および３８８は、ポンプ制御部３１０とキャニスター部３０８との間の空気圧結合を提供する。第１のポンプ３５３は、一定の負荷点で稼働され、かつ第１のポンプ３５３とバルブ組立体３５５との間に溜め部をさらに含み得る。第１のポンプ３５３は、周囲圧力とより高い圧力との間で交互に切り替わり得る。例示的かつ代替的な実施形態では、第１のポンプ３５３を圧縮ガス容器で置き換えてもよく、圧縮ガスは第１のダイアフラム３５６にもたらされて、ポンプエネルギーを提供し、ポンプヘッド３５４に減圧を発生させる（第１の導管３５７はポンプヘッド３５４にポンプエネルギーをもたらすが、キャニスター部３０８の汚染された流体路とは流体的に隔離されたままであることに留意されたい）。
【００５６】
ここで主に図８を参照して、ほとんどの点で図１〜６の減圧治療装置１０６に類似している減圧治療装置４０６の別の例示的かつ非限定的な実施形態を説明する。減圧治療装置４０６は、キャニスター部４０８およびポンプ制御部４１０を含む。ポンプ制御部４１０は、制御装置またはユーザインターフェース装置４３６、電源サブシステム４７８、および制御装置４５２を含み得る。前述同様に、ユーザは、ユーザインターフェース装置４３６にデータまたは所望の設定を入力する。電源サブシステム４７８は制御装置４５２に電力を提供する。この例示的な実施形態では、制御装置４５２は、圧電コントローラ・ドライバユニット４６１をさらに含む。
【００５７】
圧電コントローラ・ドライバユニット４６１は、第１の電気的結合部４５７によって第１の圧電部材４６３に電気的に結合されており、第１の圧電部材は、第１のダイアフラム４５６の一部であるまたはそれに結合されている。同様に、第２の電気的導管４５９が圧電コントローラ・ドライバユニット４６１を第２の圧電部材４６５に結合し、第２の圧電部材は、第２のダイアフラム４５８の一部であるまたはそれに結合されている。それゆえ、第１のリンキングインターフェース４８６は、圧電コントローラ・ドライバユニット４６１、第１の電気的結合部４５７、第１の圧力検出器（図示せず）、および第１の圧電部材４６３を含む。ポンプエネルギーは、第１のリンキングインターフェース４８６を経て第１のダイアフラム４５６に供給され得る。キャニスター部４０８内の圧力が、第１の圧力検出器（図示せず）を使用して第１のダイアフラム４５６の位置を測定することによって、さらに監視され得る。第２のリンキングインターフェース４８８が、圧電コントローラ・ドライバユニット４６１、第２の電気的結合部４５９、第２の圧力検出器（図示せず）、および第２の圧電部材４６５を含む。減圧供給導管４２６内の圧力が、第２の圧力検出器（図示せず）を介して第２のダイアフラム４５８の位置を測定することにより、圧電コントローラ・ドライバユニット４６１によって監視され得る。第１のダイアフラム４５６はポンプヘッド４５４内で動作して減圧をもたらし、その減圧は、導管４８０によって液溜め４６４に供給される。導管４８０は、疎水性フィルターなどの１つ以上のフィルター４８２を含み得る。液溜め４６４に供給される減圧は、減圧を減圧供給導管４２６に伝達する。
【００５８】
動作中、制御装置４５２および圧電コントローラ・ドライバユニット４６１は、第１の電気的結合部４５７によって供給された第１の圧電制御信号を第１の圧電部材４６３に提供する。第１の圧電部材４６３は、作動時、第１のダイアフラム４５６を動かす。第１のダイアフラム４５６およびポンプヘッド４５４が動くことによって減圧を発生させ、その減圧が導管４８０に供給される。ポンプヘッド４５４内にはバルブ組立体４８４が含まれ、減圧の生成を助ける。キャニスター部４０８は、創傷、例えば図１の創傷１１２からの気体を、減圧治療装置４０６の外部に放出させる通気口導管４９６をさらに含み得る。
【００５９】
ほとんどの点で図１〜４の減圧治療装置１０６と類似している別の例示的かつ非限定的な実施形態では（図示せず）、ポンプ制御部およびキャニスター部を含む減圧治療装置を説明する。ポンプ制御部は、ユーザインターフェース装置、電源サブシステム、および制御装置を含み得る。ユーザインターフェース装置および電源サブシステムは、制御装置に電子的に結合され得る。ポンプ制御部は、１つ以上のレーザ光をさらに含み得る。キャニスター部は、１つ以上のレーザ光に対応する１つ以上のダイアフラムを有し得るポンプヘッドを含む。動作中、ポンプエネルギーは、１つ以上のリンキングインターフェースによって１つ以上のダイアフラムに供給される。
【００６０】
この実施形態では、リンキングインターフェースはレーザ光およびダイアフラムを含む。リンキングインターフェースは、減圧を生じるためにポンプヘッド内でポンプ作用を発生させるために、レーザ光によってダイアフラムを変形させるように動作可能である。この例示的な実施形態では、１つ以上のダイアフラムは、光を吸収するスペクトル吸収性ポリマー製とし得る熱反応性のダイアフラムとしてもよく、ダイアフラムは、レーザ光によって生成された熱を分散させるのを助け得る導体材料で処理される。熱反応性のダイアフラムは、レーザ光の適用下で変形するように動作可能である。別の例示的な実施形態では、１つ以上のダイアフラムは、結晶形態を変化させるために光の定められた波長を吸収できる撓み性材料で形成してもよく、結晶形態の変化により材料の密度を変化させ、それにより、ダイアフラムの形状を変化させる；すなわち、撓み性材料は、レーザ光の適用下で変形するように動作可能である。
【００６１】
上述の図１〜８の非限定的な実施形態を考慮して、リンキングインターフェースは、ポンプ制御部からポンプヘッドへエネルギーを提供する一方で、ポンプ制御部を、ポンプヘッドの汚染される可能性のある部分とは流体的に分離または隔離された状態を保つための任意の構成であることが明らかである。多くの場合、リンキングインターフェースは、磁場を使用することを含む。リンキングインターフェースの他の実施形態は、ダイアフラムを動かす空気圧リンクを使用すること、ポンプ制御部とポンプヘッド（ダイアフラムの隔離された側）との間に置かれて作動する機械的アクチュエータを使用すること、前の段落で説明したようにレーザ光を使用すること、およびダイアフラムを動かすために圧電部材を使用することを含む。
【００６２】
ここで主に図９〜１２を、初めに図９を参照して、減圧治療を受けている患者に使用するための流体収集システムまたはサブシステム５００を説明する。流体収集システム５００は、液溜め５０４を備えて形成されたキャニスター本体５０２を含む。減圧供給導管５０６、または導管が、患者から流体５０８をキャニスター本体５０２に供給する。減圧供給導管５０６は、キャニスター本体５０２の液溜め５０４と流体連通している。キャニスター本体５０２内にはアパーチャ５１０が形成され、流体５０８を液溜め５０４に連通させ得る。キャニスター本体５０２には、１つ以上のモジュール、例えば、ポンプ５１２、ポンプ制御エレクトロニクス５１４、およびパワーユニット５１６が関連付けられている。
【００６３】
ポンプ５１２、ポンプ制御エレクトロニクス５１４、およびパワーユニット５１６は、キャニスター本体５０２の別個の構成要素内に配置されてもよいし、または一部の例示的な実施形態では、キャニスター本体５０２に接続された別個のユニットにあってもよい。ポンプ５１２、ポンプ制御エレクトロニクス５１４、およびパワーユニット５１６は、個別のモジュール５１５としても、または様々な順列で結合されて、大きなモジュール５１５またはユニットを形成してもよい。例えば、図１０に示すように、ポンプ制御エレクトロニクス５１４およびパワーユニット５１６がモジュール５１５として結合され、パワー・制御ユニット５１８としてもよい。別の例として、図１２は、ポンプ５１２およびパワー・制御ユニット５１８を備えて形成されたモジュール５１５を示す。
【００６４】
流体の流入に対してポンプ５１２を保護するのを疎水性フィルター５２０が助け得る。ポンプ５１２は、減圧を発生させる任意の装置とし得る。ポンプ制御エレクトロニクス５１４は、ポンプ５１２を制御する任意の１つまたは複数の装置とし得る。ポンプ制御エレクトロニクス５１４は、限定するものではないが、プリント配線アセンブリ（ＰＷＡ）または特定用途向け集積回路（ＡＳＩＣ）または他の制御ユニットとし得る。
【００６５】
流体収集システム５００の動作では、制御エレクトロニクス５１４は、ユーザインターフェース（図示せず）によって起動され、パワーユニット５１６からの電力を使用してポンプ５１２を起動するようにし得る。起動されたポンプ５１２は減圧を生じ、その減圧は、フィルター５２０を通って液溜め５０４に供給される。図９に示すように排気口５２２を通って排気がポンプ５１２から出てもよい。液溜め５０４内の減圧を、患者の流体レセプタ（図示せず）に結合される減圧供給導管５０６に伝達する。減圧によって、流体５０８は流体レセプタに受け入れられ、減圧供給導管５０６を通って液溜め５０４まで流れるようになる。流体レセプタは、患者から流体を取り除くための任意の装置またはサブシステムとし得る。例えば、限定するものではないが、流体レセプタは、図１に示すような開放された体腔またはマニホールド、シール部材、および減圧インターフェースにおいて使用される吸気装置とし得る。
【００６６】
所望の場合、１つ以上のモジュール５１５、例えば、ポンプ５１２、ポンプ制御エレクトロニクス５１４、またはパワーユニット５１６またはそれらの組み合わせを取り外してもよい。例えば、図１０は、キャニスター本体５０２からパワー・制御ユニット５１８が取り外されている状態を示す。取り外し後、パワー・制御ユニット５１８を再使用するために再調整し得る。モジュール５１５を簡単に取り外せることによって再生利用が容易になり、およびモジュール５１５の１つ以上の再生利用は、それらが流体収集システム５００の比較的高価な品目であることが多いために、特に好都合とし得る。
【００６７】
パワー・制御ユニット５１８または他のモジュール５１５の取り外し後、液溜め５０４およびキャニスター本体５０２の他の残りの態様は廃棄され得る。図１１では、パワーユニット５１６のみが取り外される。図１２では、ポンプ５１２とパワー・制御ユニット５１８とを含むモジュール５１５が取り外される。どの構成要素またはモジュール５１５が取り外されても、モジュール５１５または構成要素は好ましくは再調整されて、新しいキャニスター本体（図示せず）および任意の他の必要な構成要素と一緒に再使用される。モジュール５１５は、ユーザが比較的簡単に取り外すのを助けるように、キャニスター本体５０２に解放可能に固定し得る。例えば、モジュール５１５は、スナップ嵌めを使用してもよいし、またはモジュール５１５をキャニスター本体５０２に保持するための締結具を１つまたは２つのみ有してもよい。追加的な非限定的な例として、モジュール５１５は、１つ以上のモジュール５１５をキャニスター本体５０２に固定する弱粘着剤または粘着テープによって保持されてもよい。
【００６８】
取り外したら、モジュール５１５を再使用するために再調整し得る。例えば、モジュール５１５は、モジュール５１５が再調整されるリサイクルセンターに配送され得る。モジュール５１５上にまたはモジュール５１５内に実質的に何らかの生物学的廃棄物がない状態でモジュール５１５を配送することが一般に好ましい。キャニスター本体５０２の液溜め５０４は使用後に生物学的廃棄物を含むため、キャニスター本体５０２は、リサイクルセンターへ、通常の配送状態で配送されるべきではない。キャニスター本体５０２は、バイオハザードとして取り扱われるか、または最初に現場で処理されるべきである。さらに、キャニスター本体５０２の不注意による配送に対する予防措置が少なくとも１つはあることが望ましい。
【００６９】
ここで主に図１３〜１５を参照すると、ユーザが液溜め５０４を不注意に配送しないようにするための予防措置として、備え付けの配送用容器５２４を使用する。その配送用容器は、所望の構成要素またはモジュール５１５のみを備え付けの容器５２４に入れることができるサイズで構成されている。換言すると、備え付けの配送用容器５２４は、キャニスター本体５０２の関連部分および液溜め５０４が備え付けの配送用容器５２４に入らないようにする。
【００７０】
例えば、ここで主に図１３を参照すると、備え付けの配送用容器５２４は、防水性のクッション付き配送用封筒５２６であって、その開口部５２８は、適切な構成要素またはモジュール５１５、例えばパワー・制御ユニット５１８を受け入れる程度に大きいが、キャニスター本体５０２が入らない程度に小さい封筒とし得る。クッション付き配送用封筒５２６はクッション部材５２９を含む。クッション付き配送用封筒５２６は、第１のシーム５３４および第２のシーム５３６で封止される第１のパネル５３０および第２のパネル５３２を有する。１つまたは複数のモジュール５１５を開口部５２８に挿入した後、開口部５２８を封止して、内部の１つまたは複数のモジュールをリサイクルセンターに配送し得る。
【００７１】
ここで主に図１４Ａおよび１４Ｂを参照して、備え付けの配送用容器５２４の別の例示的かつ非限定的な実施形態を説明する。備え付けの配送用容器５２４を、２つの部材：図１４Ａに示す第１の部材５３８、および図１４Ｂに示す第２の部材５４０を備える未組立状態で示す。２つの部材５３８、５４０を、提案の通り接合して、備え付けの配送用容器５２４を形成する。備え付けの配送用容器５２４は、流体収集システムの所望の構成要素またはモジュール５１５のみを配送できるようなサイズで構成されている。力をかなり使わなければ、キャニスター本体５０２または液溜め５０４は備え付けの配送用容器５２４に収まらない。部材５３８および５４０は、例えば、発泡スチロール材またはポリマーまたは任意の他の好適な半剛性材料から作製し得る。
【００７２】
例示的かつ非限定的な一実施形態では、第１の部材５３８は、第１の空洞５４３を有する第１の備え付けの突出部分５４２を有する。第１の空洞５４３は、所望の構成要素またはモジュール５１５、例えば、ポンプ制御エレクトロニクス５１４およびパワーユニット５１６の少なくとも一部分を収容するようなサイズで構成されている。第１の備え付けの突出部分５４２は、第１の空洞５４３に１つまたは複数のモジュール５１５を収容するために変形し得る。１つまたは複数のモジュール５１５の少なくとも一部分は、締まり嵌めによって第１の空洞５４３に固定され得る。
【００７３】
同様に、第２の部材５４０は、第２の空洞５４５を備える第２の備え付けの突出部分５４４を有し、その第２の空洞も、１つまたは複数のモジュール５１５の少なくとも一部分を収容するようなサイズで構成されている。第２の備え付けの突出部分５４２は、第２の空洞５４５に１つまたは複数のモジュール５１５を収容するために変形し得る。１つまたは複数のモジュール５１５の少なくとも一部分は、締まり嵌めによって第２の空洞５４５に固定され得る。
【００７４】
第１の部材５３８の周囲５４６は、第２の部材５４０の周囲５４８と結合して一体にされ、それにより組立型の備え付けの配送用容器５２４を形成するようなサイズで構成されている。備え付けの配送用容器５２４は、配送されるべき指定の構成要素またはモジュール５１５を収容するようなサイズで構成されている。備え付けの配送用容器５２４も、第１の部材５３８と第２の部材５４０との間にキャニスター本体５０２が配置された状態ではきちんと閉まらないようなサイズで構成されている。部材５３８、５４０は、周囲５４６、５４８で組み合わされて封止され、組立型の備え付けの配送用容器５２４を形成し得る。例えば、周囲５４６、５４８は、テープで貼られても、接着されても、結合されても、または他の方法で取り付けられてもよい。組立型の備え付けの配送用容器５２４は、構成要素またはモジュール５１５が入れられたら、再調整のためにリサイクルセンターに配送され得る。
【００７５】
ここで主に図１５を参照して、モジュール５１５またはユニット５５０と共に使用するための、備え付けの配送用容器５２４の別の例示的かつ非限定的な実施形態を説明する。備え付けの配送用容器５２４は、第１の空洞（明示せず）を有する第１の部材５３８と、第２の空洞５３７を備える第２の部材５４０とを含む。この例示的な実施形態では、ユニット５５０は、ポンプ５１２、またはポンプの態様、例えば第１の電磁石５５２、制御装置またはポンプ制御エレクトロニクス５１４、およびパワーユニット５１６などを含む。ユニット５５０はまた、ユーザインターフェース５５４を含む。ユニット５５０はユニットハウジング５５６を有する。第１の部材５３８および第２の部材５４０は、ユニットハウジング５６６を収容し、かつ、配送のためにユニット５５０を固定するために締まり嵌めを形成するようなサイズで構成されている。キャニスターまたは液溜めがユニット５５０に取り付けられた場合、ユニット５５０は、備え付けの配送用容器５２４に収まらないであろうことに留意されたい。
【００７６】
ユニット５５０をキャニスター部、例えば、図２および３のキャニスター部１０８と共に使用した後、ユニット５５０を取り外し、ユニット５５０を第１の部材５３８と第２の部材５４０との間に置く。部材５３８、５４０は結合して一体にされ、備え付けの配送用容器５２４を形成する。備え付けの配送用容器５２４内にユニット５５０が固定された状態で、２つの部材５３８および５４０が封止または結合され得る。２つの部材５３８、５４０は、テープで貼られても、接着されても、結合されても、または他の方法で取り付けられてもよい。次いで、備え付けの配送用容器５２４を、モジュール５１５の再調整のためにリサイクルセンターに送り得る。再調整後、ユニット５５０は、別のキャニスター部と共に使用され得る。
【００７７】
ここで主に図１６を参照して、減圧治療を受けている患者に使用するための流体収集システム６００を説明する。流体収集システム６００は、液溜め６０４を含むキャニスター部６０２を含む。減圧供給導管６０６が、患者（図示せず）から流体を液溜め６０４へ供給する。除去され、次いで減圧供給導管６０６を通って供給された流体は、創傷、または腹部などの体腔、または他の個所からのものとし得る。
【００７８】
キャニスター部６０２は、２つの熱可塑性部分を組み合わせることによって形成し得る。２つの熱可塑性部分を接合および溶接して、キャニスター部６０２を形成し得る。キャニスター部６０２はまた、吹込み成形によって形成し得る。射出成形用発泡体を成形型に吹込みを行って、キャニスター部６０２を成形し得る。成形型に最初に接触する発泡体の部分は、クローズドセルを備える外面スキン層を形成し得る。内部部分を埋める発泡体は、液溜めまたは流体を収容できる体積部を形成する開放セルを有し得る。キャニスター部６０２には組込みフィルター６２０が含まれてもよい。組込みフィルター６２０は焼結ポリマー製とし得る。組込みフィルター６２０は、任意の向きで流体を連通させ得る。
【００７９】
流体収集システム６００はまた、一般にポンプ６１０と、ポンプ制御装置６１２（またはポンプ制御エレクトロニクス６１２）と、パワーユニット６１４とを含むポンプ制御部６０８を含む。ポンプ６１０は、導管６１６に供給される減圧を発生させるのに適切な任意のポンプとし得る。例えば、ポンプ６１０は、圧電ポンプなどのマイクロポンプ、他の非電動式ポンプ、または電動機駆動ポンプとし得る。マイクロポンプを使用する場合、キャニスター部６０２に急速排出口が追加されて、液溜め６０４および創傷ドレッシングの態様を素早く空にするために病院の組込み吸引源を一時的に使用できるようにする。圧電ポンプが使用される場合、圧電ポンプは、流体収集システム６００用のブザーまたは振動式警告システムとして、異なる周波数で使用し得る。導管６１６に疎水性フィルター６１８を設けて、導管６１６に入りこむ可能性のあるいずれの液体からもポンプ６１０を保護し得る。同様に、疎水性フィルター６２０が導管６２２に含まれてもよい。導管６１６および６２２は流体的に結合されており、かつまた、接続部材６２４によって物理的に結合され得る。
【００８０】
接続部材６２４は、ポンプ制御部６０８とキャニスター部６０２とを流体的におよび物理的に結合し得る。接続部材６２４は、ポンプ制御部６０８およびキャニスター部６０２を相対的な位置に選択的に固定するように動作可能である。接続部材６２４はまた、所望の場合には、ポンプ制御部６０８とキャニスター部６０２とを分離できるように動作可能である。例えば、例示的かつ非限定的な一実施形態では、接続部材６２４は、例えば、押込んでねじ切りする（ｐｕｓｈ−ｏｎ−ａｎｄ−ｔｗｉｓｔ−ｏｆｆ）タイプのペグ部材とし得る。そのような接続部材６２４によれば、接続部材６２４を導管６１６および６２２と一緒に動かして、ポンプ制御部６０８をキャニスター部６０２に取り付けるかまたは結合して、結合部が形成され得る。例えば、結合部は、溝に当たる外側に片寄った刻み目によって形成され、しっかりとロックし得る。接続部材６２４上のシールは、導管６１６、６２２と接続部材６２４との間に流体シールを提供する。接続部材６２４はテーパ状に形成され、導管とかみ合ってシールを形成し得る。接続部材６２４はまた、接続部材６２４と導管との間にシール部品、例えば、Ｏリングまたは他の可撓性要素を使用することによって、結合されてもよい。シール部品は、結合前には、ポンプ制御部６０８にあっても、または接続部材６２４にあってもよい。
【００８１】
所望の場合、ポンプ制御部６０８は、接続部材６２４の一部分を押すまたは接続部材６２４をねじって壊すことによって、キャニスター部６０２とは分離され得るまたはそれから外され得る。例示的かつ非限定的な一実施形態では、接続部材６２４を分離することによって、導管６１６および６２２の両端部が自動的にシールされる。分離されたポンプ制御部６０８を、備え付けの配送用容器、例えば、図１３の備え付けの配送用容器５２４に入れて、再調整のためにリサイクルセンターに配送する。再調整後、ポンプ制御部６０８を、新しいキャニスター部６０２と共に使用し得る。
【００８２】
ここで主に図１７を参照して、流体収集システム６００の別の例示的かつ非限定的な実施形態を説明する。流体収集システム６００は、キャニスター部６０２およびポンプ制御部６０８を含む。図１７の流体収集システム６００は、図１６の流体制御システム６００とほとんどの点で類似している。それゆえ、減圧供給導管６０６は、患者から流体をキャニスター部６０２および液溜め（図示しないが、図１６の液溜め６０４に類似している）に供給する。この実施形態では、ポンプ制御部６０８は、スイベル接続部６２６によって、キャニスター部６０２に少なくとも部分的に固定され得る。この例示的かつ非限定的な実施形態では、接続部材６２４は２つのスナップタブ６２８とし得る。ポンプ制御部６０８とキャニスター部６０２との間の導管（導管６１６および６２２に類似している）が、スナップタブ６２８内に配置されていてもよいし、またはスナップタブ６２８とは分離されていてもよい。
【００８３】
動作中、例示的かつ非限定的な一実施形態によれば、流体収集システム６００は、組立済の使える状態にあるポンプ制御部６０８およびキャニスター部６０２を備える。使用後、ポンプ制御部６０８は、スイベル接続部６２６の周りでねじって回され、スナップタブ６２８が壊れるかまたは解放するようにする。単純な道具またはコインなどの他の品目を使用して、スナップタブ６２８を折るてこの作用を与える。スナップタブ６２８が壊れると、スナップタブ６２８の動作不可能な部分がキャニスター部６０２に残り得る。スナップタブ６２８の残りの部分は、キャニスター部６０２が不注意に再使用されないようにし得る。スナップタブ６２８を壊した後、ポンプ制御部６０８をスイベル接続部６２６から垂直に持ち上げ得る。ポンプ制御部６０８は、キャニスター部６０２に対して約４５度旋回されてから、持ち上げ得る。ポンプ制御部６０８は、取り外したら備え付けの配送用容器に入れ、再調整のためにリサイクルセンターに送られ、その後、新しいキャニスター部６０２と共に再使用され得る。
【００８４】
本明細書では、液溜め、例えば、液溜め１６４、５０４、６０４は、キャニスターが破損した場合にこぼれる可能性を減らすための様々な安定化のためのオプションを多く有してもよい。例えば、限定するものではないが、以下のものを使用し得る：液体の相は変更しないが、流動性を最小限にするウィッキング材料；アイソライザー袋（ｉｓｏｌｙｚｅｒ  ｓａｃｈｅｔ）およびアイソライザー散乱被覆材料（ｉｓｏｌｙｚｅｒ  ｓｃａｔｔｅｒ  ｃｏａｔｅｄ  ｍａｔｅｒｉａｌ）；および不活性のウィッキングまたはアイソライジング（ｉｓｏｌｙｚｉｎｇ）する基質またはキャニスターの内側面に被覆された親油性化合物および凝固剤。これらの安定化のためのオプションは、プラズマ処理または他の技術を用いるマルチパート成形システムを使用して成し遂げられ得る。
【００８５】
本明細書には、再生利用のための減圧キャニスターおよび方法が説明されている。一例では、１名以上の患者に複数の減圧治療を行う方法は、第１のキャニスター本体、液溜め、および１つ以上のモジュール、例えばポンプ制御モジュールを含む減圧治療システムを提供するステップを含む。この方法は、減圧システムを使用し、その後１つ以上のモジュールを取り外すステップと、１つ以上のモジュールを、液溜めの配送を不可能にする備え付けの配送用容器に入れるステップとを含む。１つ以上のモジュールを再調整して、第２のキャニスター本体に結合し得る。他のシステムおよび方法が開示されている。
【００８６】
本発明およびその利点を、いくつかの例示的かつ非限定的な実施形態に関連して説明したが、添付の特許請求の範囲によって定義された本発明の範囲から逸脱せずに、様々な変更、代用、交換、および修正をなすことができることを理解されたい。任意の一実施形態に関連して説明された任意の特徴はまた、任意の他の実施形態にも適用可能であることを理解されたい。例えば、図１６および１７のキャニスター部６０２は、液溜め６０４に窓付きのセグメントを備えて形成してもよく、その液溜めは、水蒸気の通過を可能にする図２の膜１７０、すなわち、超高透湿度（ＭＶＴＲ）膜で被覆されていてもよい。
【００８７】
上述の利益および利点は、一実施形態に関連し得ること、またはいくつかの実施形態に関連し得ることを理解されたい。「１つの」品目への言及は、１つ以上のそれら品目を指すことをさらに理解されたい。
【００８８】
本明細書で説明した方法のステップは、任意の好適な順序で、または適切な場合には同時に実施し得る。
【００８９】
適切な場合には、上述の実施形態のいずれかの態様を、説明の任意の他の実施形態の態様と組み合わせて、類似のまたは異なる特性を有しかつ同じまたは異なる問題に対処する別の例を形成する。
【００９０】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
0005939646.tif 000002
【図２】
0005939646.tif 000003
【図３】
0005939646.tif 000004
【図４】
0005939646.tif 000005
【図５Ａ】
0005939646.tif 000006
【図５Ｂ】
0005939646.tif 000007
【図５Ｃ】
0005939646.tif 000008
【図６】
0005939646.tif 000009
【図７】
0005939646.tif 000010
【図８】
0005939646.tif 000011
【図９】
0005939646.tif 000012
【図１０】
0005939646.tif 000013
【図１１】
0005939646.tif 000014
【図１２】
0005939646.tif 000015
【図１３】
0005939646.tif 000016
【図１４Ａ−１４Ｂ】
0005939646.tif 000017
【図１５】
0005939646.tif 000018
【図１６】
0005939646.tif 000019
【図１７】
0005939646.tif 000020